(57)【特許請求の範囲】
【請求項１】
透液性表面シートと不透液性裏面シートとの間に吸液性コアが介在し、前胴周り域と、後胴周り域と、これら両域間に位置する股下域とを有するおむつの前記前後胴周り域いずれかの裏面シートの外面に前記おむつを丸めておくために使用可能な粘着テープを有する使い捨ておむつにおいて、
前記粘着テープが、前記おむつの胴周り方向へ互いに平行に延びる二条の第１粘着テープと第２粘着テープとから形成され、前記第１および第２粘着テープが、前記前後胴周り域いずれかの幅方向中央部に位置して前記裏面シートの外面に上下方向へ離間して固着された一端部と、前記一端部を除く自由変形可能な自由部とから形成され、前記第１粘着テープの一端部が、前記幅方向中央部において前記胴周り方向左寄りに位置し、前記第２粘着テープの一端部が、前記幅方向中央部において前記胴周り方向右寄りに位置し、前記第１および第２粘着テープの自由部が、その両面の所要部位に粘着域を有して該テープ長手方向へ伸展可能に折り重ねられ、前記第１粘着テープの自由部の先端部分が、前記第２粘着テープの一端部から前記胴周り方向左方に延出し、前記第２粘着テープの自由部の先端部分が、前記第１粘着テープの一端部から前記胴周り方向右方に延出し、
前記おむつでは、前記第１および第２粘着テープの自由部の折り重ねられた状態が前記粘着域によって保持され、前記自由部を胴周り方向へ伸展させたときに、前記第１粘着テープの自由部が前記胴周り方向左方へ延び、前記第２粘着テープの自由部が前記胴周り方向右方へ延びることを特徴とする前記おむつ。
【発明の詳細な説明】
【０００１】
【発明が属する技術分野】
本発明は、使用後に丸めて廃棄するための粘着テープを備えた使い捨ておむつに関する。
【０００２】
【従来の技術】
実開平５−３９５３１号公報に開示されたパンツ型使い捨ておむつでは、左右各側部に胴周り方向に延びる一条の粘着テープが設けられており、汚れたおむつは、合計二条のテープを使用して丸めておくことができる。このようにすれば、おむつに汚物が付着していても衛生上好ましい状態で廃棄することができる。
【０００３】
【発明が解決しようとする課題】
前記実開平５−３９５３１号公報のおむつでは、左右各側部が内側となるように丸めると、粘着テープが隠れてしまい、それを利用できない場合がある。パンツ型のおむつを着用しているときに便が排泄されると、おむつの左右各側部を切り開いてそのおむつを脱がせることがある。切り開いたおむつは、便で汚れた部位が外にのぞくことがないように、各側部が内側となるように丸めることが好ましく、そのときに粘着テープを利用できないという事態は避けなければならない。
【０００４】
また、このおむつには、幅方向に丸めたおむつを上下方向で幅広く閉じておく手段がないから、サイズの大きい大人用のおむつ等では、汚れた部位が外にのぞきがちになる。
【０００５】
そこで、本発明は、使い捨ておむつを幅方向に丸めたときに、それを幅広く閉じることができるようにすること等を課題にしている。
【０００６】
【課題を解決するための手段】
前記課題を解決するための本発明の前提は、透液性表面シートと不透液性裏面シートとの間に吸液性コアが介在し、前胴周り域と、後胴周り域と、これら両域間に位置する股下域とを有するおむつの前記前後胴周り域いずれかの裏面シートの外面に前記おむつを丸めておくために使用可能な粘着テープを有する使い捨ておむつである。
【０００７】
かかる前提における本発明の特徴は、前記粘着テープが、前記おむつの胴周り方向へ互いに平行に延びる二条の第１粘着テープと第２粘着テープとから形成され、前記第１および第２粘着テープが、前記前後胴周り域いずれかの幅方向中央部に位置して前記裏面シートの外面に上下方向へ離間して固着された一端部と、前記一端部を除く自由変形可能な自由部とから形成され、前記第１粘着テープの一端部が、前記幅方向中央部において前記胴周り方向左寄りに位置し、前記第２粘着テープの一端部が、前記幅方向中央部において前記胴周り方向右寄りに位置し、前記第１および第２粘着テープの自由部が、その両面の所要部位に粘着域を有して該テープ長手方向へ伸展可能に折り重ねられ、前記第１粘着テープの自由部の先端部分が、前記第２粘着テープの一端部から前記胴周り方向左方に延出し、前記第２粘着テープの自由部の先端部分が、前記第１粘着テープの一端部から前記胴周り方向右方に延出し、前記おむつでは、前記第１および第２粘着テープの自由部の折り重ねられた状態が前記粘着域によって保持され、前記自由部を胴周り方向へ伸展させたときに、前記第１粘着テープの自由部が前記胴周り方向左方へ延び、前記第２粘着テープの自由部が前記胴周り方向右方へ延びることにある。
【０００８】
【０００９】
【実施例】
添付の図面を参照して、この発明にかかる使い捨ておむつの詳細を説明すると、以下のとおりである。
【００１０】
図１に部分破断斜視図で示されたパンツ型の使い捨ておむつ１は、うしろ側から見たものであって、透液性表面シート２と、不透液性裏面シート３と、これら両シート２，３間に介在する吸液性コア４とによって構成され、前胴周り域６と、後胴周り域７と、これら両域６，７間に位置する股下域８とを有する。前後胴周り域６，７は、互いに左右両側縁部で重なり合って接合し、左右の胴周り側部１１，１２を形成するとともに、胴周り開口部１３と、左右一対の脚周り開口部１４とを画成している。胴周り開口部１３の周縁部と脚周り開口部１４の周縁部とには、それぞれ複数条の弾性部材１６，１７が伸長状態で表裏面シート２，３いずれかの内面に接合している。後胴周り域７の裏面シート３の外面には、汚れたおむつ１を丸めておくときに使用するための二条の粘着テープが取り付けられている。粘着テープは、おむつの胴周り方向へ互いに平行に延びる二条の第１粘着テープ１９と第２粘着テープ２０とから形成されている。第１および第２粘着テープ１９，２０は、後胴周り域７の幅方向中央部２３に位置して裏面シート３の外面に上下方向へ離間して固着された一端部１９Ａ，２０Ａと、一端部１９Ａ，２０Ａを除く自由変形可能な自由部１９Ｂ，２０Ｂとから形成されている。それらテープ１９，２０では、第１粘着テープ１９の一端部１９Ａが幅方向中央部２３において胴周り方向左寄りに位置し、第２粘着テープ２０の一端部２０Ａが幅方向中央部２３において胴周り方向右寄りに位置している。それらテープ１９，２０の自由部１９Ｂ，２０Ｂは、伸展可能に折り重ねられている。第１粘着テープ１９の自由部１９Ｂの先端部分１９Ｃは、第２粘着テープ２０の一端部２０Ａから胴周り方向左方に延出している。第２粘着テープ２０の自由部２０Ｂの先端部分２０Ｃは、第１粘着テープ１９の一端部１９Ａから胴周り方向右方に延出している。おむつ１では、図１に仮想線で示すように、第１および第２粘着テープ１９，２０自由部１９Ｂ，２０Ｂを胴周り方向へ伸展させると、第１粘着テープ１９の自由部１０Ｂが胴周り方向左方へ延び、第２粘着テープ２０の自由部２０Ｂが胴周り方向右方へ延びる。
【００１１】
図２，３は、図１における粘着テープ１９，２０のＩＩ−ＩＩ線，ＩＩＩ−ＩＩＩ線矢視図である。テープ１９，２０の一端部１９Ａ，２０Ａは、ホットメルト接着剤２４によって固着されている。残余の自由変形可能な自由部１９Ｂ，２０Ｂは、両面の所要部位に粘着剤２６を塗布することにより形成された粘着域２７を有し、その粘着剤２６の作用によって折り重ねられた状態が保たれている。テープ１９，２０は、折り重ねられたときに粘着剤２６と対向する面が剥離容易なように表面処理されており、それぞれの先端部分１９Ｃ，２０Ｃを摘持して引っ張ると伸展する。
【００１２】
図４は、廃棄するために丸められたおむつ１の斜視図であって、（Ａ）は後胴周り域７の状態であり、（Ｂ）は前胴周り域６の状態である。おむつ１は、股下域８が前胴周り域６に折り重ねられた後に、左右各胴周り側部１１，１２が前胴周り域６を内側にして丸められている。図４の（Ｂ）で明らかなように、各粘着テープ１９，２０が胴周り方向に掛け回され、テープ１９の粘着域２７が丸められた右胴周り側部１２の外面に止着され、テープ２０の粘着域２７が丸められた左胴周り側部１１の外面に止着されている。これらのテープ１９，２０は、止着するときに図のように互いに上下に離間しているから、丸められたおむつ１が上下方向で幅広く閉じられた状態となり、それだけおむつの汚れた部位が露出しにくくなる。因みに、おむつ１をこのように幅広く閉じようとするときに、粘着テープが一条のものであると、そのテープは図示例のものよりもはるかに長いものになり、その取り扱いが煩雑になる。
【００１３】
汚れたおむつ１を図４のように丸めることの必要性は、次のとおりである。乳幼児がパンツ型のおむつ１を着用しているときに便が排泄され、そのおむつ１を引き下げるようにして脱がせると、便が身体のあちこちにくっついてしまうことがある。それを避けるために、着用したおむつ１を左右の胴周り側部１１，１２で切り開き、前後胴周り域６，７を分離し、おむつ１を身体から剥すようにして脱がせることがある。こうすると、汚れたおむつで身体をこすることが少なくなる。しかしながら、このように切り開かれたおむつ１では、その切り開かれた側部から汚れた部位がのぞいたり、汚物が漏れ出たりすることがあるから、図示のように開いた側部１１，１２それぞれが内側となるように、おむつ１を丸めて廃棄することが好ましい。これがその必要性である。
【００１４】
また、おむつ１がパンツ型ではなくて、開放型のものであるときにも、図４のように丸めることができる。そして、そのおむつの左右両側縁部に粘着性のテープファスナがあれば、それでおむつを丸めておくことも可能ではある。しかしながら、そのようなファスナは、前記実開平５−３９５３１号公報のおむつ同様に、おむつを丸めたときに隠れてしまう可能性がある他に、その長さが必ずしも十分であるとはいえないことがあるから、開放型のおむつであっても図示の粘着テープ１９，２０を備えていることが好ましい。
【００１５】
前述の図１に示す実施の形態のおむつ１では、第１および第２粘着テープ１９，２０は、胴周りを左右方向に延びるように取り付けられているが、本発明はこれに限られるものではなく、二条の粘着テープ１９，２０が胴周りを同じ方向に延びるように取り付けられていてもよい。
【００１６】
図５は、実施態様の他の一例を示す図１と同様の図面である。このおむつ１の粘着テープ１９，２０は、それぞれの自由変形可能な自由部１９Ｂ，２０Ｂの幅方向中央に長手方向へ延びるミシン目３０が施されている。かかる自由部１９Ｂ，２０Ｂは、それを止着するときにミシン目３０で切り裂いて使用すると、図４のように止着するときのおむつ上下方向の止着域をさらに広範囲にすることが容易になる。この態様は、大人用おむつのようなサイズの大きいものに適用するとよい。
【００１７】
この発明において、粘着テープ１９，２０のテープ基材には、プラスチックフィルムや不織布を使用することができる。テープ１９，２０は、その両面の所要部位に粘着域２７を形成し、テープ１９，２０を折り重ねておくためと、おむつ１を丸めておくためとに使用する。ただし、摘持用の先端部分１９Ｃ，２０Ｃは、両面とも非粘着性であることが好ましい。テープ１９，２０は、前後胴周り域６，７のいずれにあってもよい。
【００１８】
【発明の効果】
この発明にかかる使い捨ておむつでは、胴周り方向に延びる二条の第１および第２粘着テープの一端部をおむつの幅方向中央部に固着しているから、おむつを幅方向に丸めたときに粘着テープが隠れることがなく、また、それら粘着テープの一端部をおむつの幅方向中央部において上下方向に離間しているから、丸めたおむつの上下方向の止着域を広くでき、サイズの大きなおむつでも汚れた部位が外にのぞかないようにすることができる。
【図面の簡単な説明】
【図１】おむつの部分破断斜視図。
【図２】止着用テープの側面を示す図１のＩＩ−ＩＩ線矢視図。
【図３】図１のＩＩＩ−ＩＩＩ線矢視図。
【図４】（Ａ）は丸めたおむつの後胴周り域を見たときの斜視図，（Ｂ）は丸めたおむつの前胴周り域を見たときの斜視図。
【図５】おむつの一実施態様を示す図１と同様の図面。
【符号の説明】
１        おむつ
２        表面シート
３        裏面シート
４        コア
６        前胴周り域
７        後胴周り域
８        股下域
１９      第１粘着テープ
１９Ａ    一端部
１９Ｂ    自由部
１９Ｃ    先端部分
２０      第２粘着テープ
２０Ａ    一端部
２０Ｂ    自由部
２０Ｃ    先端部分
２３      幅方向中央部
２７      粘着域
３０      ミシン目
【図１】
0003616771.tif 000002
【図２】
0003616771.tif 000003
【図３】
0003616771.tif 000004
【図４】
0003616771.tif 000005
【図５】
0003616771.tif 000006